(57)【要約】【課題】ドアにアンダーカットが形成されて、ドア下端と床面との隙間が大きくても、磁石式の戸当りをドアと床に取り付けて使用できるようにすることを目的とする。また、異なる種類の戸当りをドアに取り付けられる戸当り高さ調節器具を提供する。【解決手段】本考案の戸当り高さ調節器具は、互いに平行な２つの平面を有する板状体からなり、前記平行な２つの平面の両側に貫通し、孔の長径方向が互いに平行な少なくとも２つの長孔と、戸当りのドア側に取り付けられる磁石を取り付けるためのメネジとが形成されたことを特徴とする。また、前記少なくとも２つの長孔のそれぞれの周囲に、前記平行な平面の一方の面に、取付ネジの頭が該平面の下に収まるざぐりを形成することが好ましい。さらに、異なる戸当りの取付ネジ位置に対応して、戸当りのドア側に取り付けられる磁石を取り付けるための複数のメネジを形成する。【選択図】図１
0003109683.tif 000002
【実用新案登録請求の範囲】
【請求項１】
互いに平行な２つの平面を有する板状体からなり、前記平行な２つの平面の両側に貫通し、それぞれ床面に対して垂直方向に延び、互いに平行な少なくとも２つの長孔と、戸当りのドア側に取り付けられる磁石を取り付けるためのメネジとが形成された、床面からの戸当りの高さを調節するための戸当り高さ調節器具。
【請求項２】
前記少なくとも２つの長孔のそれぞれの周囲に、前記平行な平面の一方の面に、取付ネジの頭が該平面の下に収まるざぐりが形成された請求項１記載の戸当り高さ調節器具。
【請求項３】
異なる戸当りの取付ネジ位置に対応して、戸当りのドア側に取り付けられる磁石を取り付けるための複数のメネジが形成された請求項１または２記載の戸当り高さ調節器具。
【請求項４】
（ａ）磁性体からなり、少なくとも一部が上方に突出された緩衝部を有し、床面に固着される緩衝プレートと、
（ｂ）ドアの下部において上下移動自在に固定された磁石
とからなり、
前記磁石が最下点にあるときに前記緩衝部に衝突し得る戸当りの、前記磁石とドアとの間に介在し、前記磁石の床面からの高さを調節するための請求項１、２または３記載の戸当り高さ調節器具。
【請求項５】
（ａ）床面に固定された台座、
（ｂ）磁性体からなり、前記台座に上下に揺動自在に取り付けられたプレート、および
（ｃ）ドアの下部に固定された磁石を有する戸当りであって、
前記磁石の下面にストッパが突設され、
前記プレートには、前記ストッパに係合し得る凹部が形成されてなる戸当りの、前記磁石とドアとの間に介在し、前記磁石の床面からの高さを調節するための請求項１、２または３記載の戸当り高さ調節器具。
【請求項６】
（ａ）床面に固定された台座、
（ｂ）磁性体からなり、前記台座に上下に揺動自在に取り付けられたプレート、および
（ｃ）ドアの下部に固定された磁石を有する戸当りであって、
（ｄ）前記プレートが磁石に吸着されたときに当該プレートを引き抜き可能な第１の係止力で一時的に磁石に係止する仮止め機構と、
（ｅ）前記仮止め機構に係止されるプレートを、外部からの操作で、前記第１の係止力より大きな第２の係止力でプレートのロックおよび解除を行なうロック機構とを具備してなる戸当りの、前記磁石とドアとの間に介在し、前記磁石の床面からの高さを調節するための請求項１、２または３記載の戸当り高さ調節器具。
【請求項７】
（ａ）床面に固定された台座と、
（ｂ）磁性体からなり、前記台座に上下に揺動自在に取り付けられたプレートと、
（ｃ）ドアに固定された磁石と、
（ｄ）前記磁石に取り付けられ、前記プレートと係合するフックと、
（ｅ）前記フックを前記プレートと係合する方向へ付勢する付勢手段と、
（ｆ）前記フックを前記プレートと係合した位置でロックするための第１のロック機構と、
（ｇ）前記第１のロック機構を外部から操作するための操作部材とからなり、
（１）前記フックが前記プレートに係合していない状態では、初期位置にある第１のロック機構が前記操作部材に干渉して当該操作部材の操作を禁止し、
（２）前記フックが前記プレートと係合するときに、前記フックの一部が前記第１のロック機構を付勢して、当該第１のロック機構を前記操作部材に干渉しないロック準備位置へ移動させ、
（３）前記第１のロック機構が前記ロック準備位置にあるときに、前記操作部材をロック位置へ移動させ、当該操作部材が前記第１のロック機構を前記ロック準備位置からロック位置へ移動させることにより、前記フックを前記プレートと係合した位置でロックするようにされてなる戸当りの、前記磁石とドアとの間に介在し、前記磁石の床面からの高さを調節するための請求項１、２または３記載の戸当り高さ調節器具。
【考案の詳細な説明】
【技術分野】
【０００１】
本考案は、ドアに取り付ける戸当りの取り付け高さを調節する器具に関する。さらに詳しくは、アンダーカットを有するドアに戸当りを取り付けるための戸当り高さ調節器具に関する。
【背景技術】
【０００２】
従来、ドアの下端部に取り付けた磁石に、床面に設置された可動なプレートをひきつけて、または可動な磁石を床面に取り付けた台座に引きつけて、ドアを開いた状態で止める戸当りがある（特許文献１〜４参照）。これらの磁石式戸当りは床面に取り付ける部材のでっぱりが小さく、また取り付け加工が容易なので、バリアフリー住宅に適している。
【０００３】
一方近年、シックハウス症候群と呼ばれる室内空気質汚染が問題になっている。室内空気質汚染は、健康な人でも化学物質過敏症を引き起こす社会問題となっており、風邪やアレルギーの症状から倦怠感や呼吸困難まで多くの健康被害が報告されている。その主な原因は、石油化学系の有機揮発性化学物質を多く含んだ建材や生活雑貨が住まいにあふれ、住宅の気密性能が上がったり室内に汚染空気が滞留しやすくなったこととされている。そこで、シックハウス症候群の対策として、内装仕上げの制限（ホルムアルデヒドを発散する建築材料の使用面積の制限）と同時に、ホルムアルデヒドを発散する建材を使用しない場合でも、家具からの発散があるため、原則として全ての建築物に機械換気設備の設置が義務付けられている。たとえば住宅等の居室においては、換気回数０．５回／時間の２４時間換気システムを設置することが義務づけられている。換気回数０．５回／時間とは、１時間当たりに部屋の空気の半分が入れ替わることをいう。
【０００４】
居室の換気のためには、全ての部屋に外気の吸気口と排気口を設けることは困難であり、また屋内の結露防止とバリアフリーの対策として室温の急激な変化を防ぐことが好ましいので、ドアに換気経路を設けることが行われる。ドアの換気経路として、換気ガラリをドアに設ける方法もあるが、ドアに特別な加工を施したり新たに部品を取り付けなければならず、美観上も好ましくない場合があるので、ドアの下に隙間を設けるアンダーカットが多く用いられる。換気経路のアンダーカットのために、ドアの下端と床面とのすき間は２ｃｍ程度になる。
【０００５】
前記の磁石式戸当りは、磁石の吸引力を利用しているので、床面と磁石との距離範囲が限られる。たとえば図２は特許文献１に示された戸当りに相当するが、ドアＤが開かれてドアＤの下端に固定された磁石２が、床面に固定された本体部分１に近づくと、磁石２に内蔵されている上下に可動な磁石本体２ｂが、磁性体からなる本体部分に引かれて下に下がり本体部分１に吸着する。すると、磁石本体２ｂが本体部分１の緩衝部３ａに当るので、ドアはその位置で止められる。磁石本体２ｂは本体部分１に吸着しているので、ドアはふらつくことがない。磁石２が固定されているドアの下端が床から離れると、磁石２と本体部分１との吸引力が弱くなり、磁石本体２ｂは本体部分によって引き出されなくなってしまう。また、図５は特許文献２に示された戸当りに相当するが、本体部分１に揺動自在に取り付けられたプレート４を磁石２の磁力で引き上げて吸着し、その位置でドアを保持するものである。図５の例でも磁石２の取付位置が床から高くなってしまうと、プレート４を磁石２の磁力で引き上げることができないので、戸当りとしての用をなさなくなってしまう。従来の戸当りはドア下面と床との距離を数ミリとして設計されているので、従来の磁石式戸当りは、アンダーカットされたドアでは直接ドアに取り付けて使用することができない。
【０００６】
【特許文献１】特開２００１−２８８９５０号公報
【特許文献２】特開２００３−３２８６２９号公報
【特許文献３】特開２００４−２７５５３号公報
【特許文献４】特開２００４−２３２２６９号公報
【考案の開示】
【考案が解決しようとする課題】
【０００７】
本考案は、ドアにアンダーカットが形成されて、ドア下端と床面との隙間が大きい場合であっても、磁石式の戸当りをドアと床に取り付けて使用できるようにすることを目的とする。また、異なる種類の戸当りを同じ部品でドアに取り付けられるようにする戸当り高さ調節器具を提供することを目的とする。
【課題を解決するための手段】
【０００８】
本考案の戸当り高さ調節器具は、互いに平行な２つの平面を有する板状体からなり、前記平行な２つの平面の両側に貫通し、孔の長径方向が互いに平行な少なくとも２つの長孔と、戸当りのドア側に取り付けられる磁石を取り付けるためのメネジとが形成されたことを特徴とする。
【０００９】
また、前記少なくとも２つの長孔のそれぞれの周囲に、前記平行な平面の一方の面に、取付ネジの頭が該平面にの下に収まるざぐりが形成されることが好ましい。
【００１０】
さらに、異なる戸当りの取付ネジ位置に対応して、戸当りのドア側に取り付けられる磁石を取り付けるための複数のメネジが形成される戸当り高さ調節器具とすることが好ましい。
【００１１】
本考案の戸当り高さ調節器具は、（ａ）磁性体からなり、少なくとも一部が上方に突出された緩衝部を有し、床面に固着される緩衝プレートと、（ｂ）ドアの下部において上下移動自在に固定された磁石とからなり、前記磁石が最下点にあるときに前記緩衝部に衝突し得る戸当りの、前記磁石とドアとの間に介在し、前記磁石の床面からの高さを調節するために用いられ得る。
【００１２】
本考案の戸当り高さ調節器具は、（ａ）床面に固定された台座、（ｂ）磁性体からなり、前記台座に上下に揺動自在に取り付けられたプレート、および（ｃ）ドアの下部に固定された磁石を有する戸当りであって、前記磁石の下面にストッパが突設され、前記プレートには、前記ストッパに係合し得る凹部が形成されてなる戸当りの、前記磁石とドアとの間に介在し、前記磁石の床面からの高さを調節するために用いられ得る。
【００１３】
本考案の戸当り高さ調節器具は、（ａ）床面に固定された台座、（ｂ）磁性体からなり、前記台座に上下に揺動自在に取り付けられたプレート、および（ｃ）ドアの下部に固定された磁石を有する戸当りであって、（ｄ）前記プレートが磁石に吸着されたときに当該プレートを引き抜き可能な第１の係止力で一時的に磁石に係止する仮止め機構と、（ｅ）前記仮止め機構に係止されるプレートを、外部からの操作で、前記第１の係止力より大きな第２の係止力でプレートのロックおよび解除を行なうロック機構とを具備してなる戸当りの、前記磁石とドアとの間に介在し、前記磁石の床面からの高さを調節するために用いられ得る。
【００１４】
本考案の戸当り高さ調節器具は、（ａ）床面に固定された台座と、（ｂ）磁性体からなり、前記台座に上下に揺動自在に取り付けられたプレートと、（ｃ）ドアに固定された磁石と、（ｄ）前記磁石に取り付けられ、前記プレートと係合するフックと、（ｅ）前記フックを前記プレートと係合する方向へ付勢する付勢手段と、（ｆ）前記フックを前記プレートと係合した位置でロックするための第１のロック機構と、（ｇ）前記第１のロック機構を外部から操作するための操作部材とからなり、（１）前記フックが前記プレートに係合していない状態では、初期位置にある第１のロック機構が前記操作部材に干渉して当該操作部材の操作を禁止し、（２）前記フックが前記プレートと係合するときに、前記フックの一部が前記第１のロック機構を付勢して、当該第１のロック機構を前記操作部材に干渉しないロック準備位置へ移動させ、（３）前記第１のロック機構が前記ロック準備位置にあるときに、前記操作部材をロック位置へ移動させ、当該操作部材が前記第１のロック機構を前記ロック準備位置からロック位置へ移動させることにより、前記フックを前記プレートと係合した位置でロックするようにされてなる戸当りの、前記磁石とドアとの間に介在し、前記磁石の床面からの高さを調節するために用いられ得る。
【考案の効果】
【００１５】
本考案の戸当り高さ調節器具は、ドア下面と床面との距離が小さい場合に用いられる従来の戸当りをそのまま使用することができる。また、異なる種類の戸当りに共通に使用して、戸当りの高さを適正に調節することができる。
【考案を実施するための最良の形態】
【００１６】
本考案の一実施の形態について、図面を参照して説明する。
【００１７】
図１は、本考案の一実施の形態にかかわる高さ調節器具を使用して、例１の戸当りをドアに取り付けた状態を示す斜視図である。図２は、図１の戸当りを使用している状態を表わす側面図である。図１において、戸当りの本体部分１は、床面にネジで固定される。戸当りの磁石２は高さ調節器具９にネジ２ａで固定され、高さ調節器具９はネジ９ｇでドアＤの下端部に固定される。
【００１８】
図１１は、本実施の形態に用いられる高さ調節器具９を表わす。高さ調節器具９は互いに平行な平面９ａおよび９ｂを有し、平面９ａから９ｂに貫通する２つの長孔９ｃおよび９ｄが形成されている。２つの長孔９ｃおよび９ｄの長径は互いに平行であって、ドアＤに固定するネジ９ｇを緩めて高さを調節することができる。また、高さ調節器具９には、戸当りの磁石２を取り付けるためのメネジ９ｅが形成されている。
【００１９】
例１の戸当りは図２に示すように、上下に可動な磁石本体２ｂが内蔵されており、磁石２の下に磁性体がない場合には、磁石本体２ｂはその磁力で磁石内部の磁性体に引き付けられて磁石２の内部に収まっている。ドアＤを開いて磁石２が本体部分１の上に来ると、本体部分１と磁石本体２ｂとの間の磁力の方が、磁石２の内部の吸引力より強いので、磁石本体２ｂは本体部分１に引かれて下に移動し、本体部分１に吸着する。すると、磁石本体２ｂが本体部分１の台座３に形成された緩衝部３ａに当り、ドアＤはその位置で止められる。磁石本体２ｂが本体部分１に吸着しているので、ドアＤはふらつくことがない。
【００２０】
例１の戸当りをドアＤの適正な高さに取り付けるにはつぎのようにする。戸当りの磁石２を高さ調節器具９にネジ２ａで固定する。そのとき、後で調節できるように、取付孔の中央でネジ止めする。つぎに、磁石２の磁石本体２ｂに本体部分１を吸着させ、本体部分１を床面に押し当てながら磁石２を上に引き上げて磁石本体２ｂを引き出し、その状態を保持しながら高さ調節器具９の長孔９ｃ、９ｄにネジ９ｇを通してドアＤに固定する。本体部分１を吸着させた状態で、本体部分１が所望の位置に来るようにドアＤを移動し、磁石本体２ｂを引き出して保持しながら、本体部分１を床面にネジで固定する。床面の高さの変動によって、磁石２をドアに取り付けた場所と、本体部分１を固定した場所で磁石２と本体部分１の距離が異なる場合は、高さ調節器具９を固定したネジ９ｇまたは磁石２を固定したネジ２ａを緩めて、磁石２の高さを調節する。
【００２１】
図３は本考案の実施の形態にかかわる高さ調節器具９を使用して、例２の戸当りをドアに取り付けた状態を示す斜視図である。図４は、図３の高さ調節器具９および戸当り本体取付位置調節方法を示す側面図である。図５は、図３の戸当りを取り付けて使用した状態を示す側面図である。例２の戸当りをドアに取り付ける高さ調節器具９は、例１に使用したものと同じく、図１１に示す高さ調節器具９を使用する。
【００２２】
例２の戸当りは、図５に示すように、本体部分１の台座３に揺動自在に取り付けられたプレート４を磁石２の磁力で引き上げて吸着し、その位置でドアを保持する。プレート４の中央には磁石２に内蔵されたストッパ６の先が係合する凹部５が形成されている。プレート４が磁石２に吸着されたのち、磁石２の操作部材８を押下してストッパ６を凹部５に係合させると、ドアＤがその位置でロックされる。操作部材８を再度押下すると、ストッパ６が上に上がってロックが解除される。
【００２３】
例２の戸当りをドアＤの適正な高さに取り付ける方法を、図４および図１２を参照して説明する。図１２は磁石２の床面からの高さを適正に保持するための治具１０を表わす図である。治具１０は磁石２にはめた状態で、磁石２が床面から適正な高さになるように、高さが形成され、また、磁石２に対してちょうどプレート４が係合する位置になるように、本体部分１の取り付けネジの位置を示す切欠き１０ａが形成されている。
【００２４】
まず、戸当りの磁石２を高さ調節器具９にネジ２ａで固定する。つぎに、磁石２の取付高さが床面から適正な位置になるように治具１０を磁石２にはめて、治具１０の下面が床面にぴったり接するように磁石を保持しながら、高さ調節器具９の長孔９ｃ、９ｄにネジ９ｇを通してドアＤに固定する。治具１０を磁石２にはめた状態で、磁石２が本体部分１に保持される所望の位置に来るようにドアＤを移動し、治具１０の下面に形成された切欠き１０ａの位置に床面に下穴をあけて、本体部分１を木ネジなどで固定する。この取付位置で、図５に示すようにちょうどプレート４が磁石２に吸着されて保持される位置になっている。床面の高さの変動によって、磁石２をドアに取り付けた場所と、本体部分１を固定した場所で磁石２と本体部分１の距離が異なる場合は、高さ調節器具９を固定したネジ９ｇまたは磁石２を固定したネジ２ａを緩めて、磁石２の高さを調節する。
【００２５】
図６は本考案の実施の形態にかかわる高さ調節器具９を使用して、例３の戸当りをドアに取り付けた状態を示す斜視図である。図７は、図６の高さ調節器具９および戸当り本体取付位置調節方法を示す側面図である。図８は、図６の戸当りを取り付けて使用した状態を示す側面図である。例３の戸当りをドアに取り付ける高さ調節器具９は、例１に使用したものと同じく、図１１に示す高さ調節器具９を使用する。また、磁石２の取付高さと本体部分１の取り付け位置を調整するには、例２と同様の治具１０を用いる。
【００２６】
例３の戸当りは、図８に示すように、本体部分１の台座３に揺動自在に取り付けられたプレート４を磁石２の磁力で引き上げて吸着し、上下に可動なフック７がプレート４の先端に係合して、その位置でドアを保持する。プレート４の中央には磁石２の外側に揺動自在に設けられた爪アーム１８の先が係合する凹部５が形成されている。プレート４が磁石２に吸着されたのち、磁石２の爪アーム１８を回転して、爪アーム１８を凹部５に係合させると、ドアＤがその位置でロックされる。爪アーム１８を上に回転させて凹部５からはずすとドアＤのロックが解除される。
【００２７】
例３の戸当りをドアＤの適正な高さに取り付ける方法を、図７および図１２を参照して説明する。図１２は磁石２の床面からの高さを適正に保持するための治具１０である。治具１０は磁石２にはめた状態で、磁石２が床面から適正な高さになるように、高さが形成され、また、磁石２に対してちょうどプレート４が係合する位置になるように、本体部分１の取り付けネジの位置を示す切欠き１０ａが形成されている。
【００２８】
まず、戸当りの磁石２を高さ調節器具９にネジ２ａで固定する。つぎに、磁石２の取付高さが床面から適正な位置になるように治具１０を磁石２にはめて、治具１０の下面が床面にぴったり接するように磁石２を保持しながら、高さ調節器具９の長孔９ｃ、９ｄにネジ９ｇを通してドアＤに固定する。治具１０を磁石２にはめた状態で、磁石２が本体部分１に保持される所望の位置に来るようにドアＤを移動し、治具１０の下面に形成された切欠き１０ａの位置に床面に下穴をあけて、本体部分１を木ネジなどで固定する。この取付位置で、図８に示すようにちょうどプレート４が磁石２に吸着されて保持される位置になっている。床面の高さの変動によって、磁石２をドアに取り付けた場所と、本体部分１を固定した場所で磁石２と本体部分１の距離が異なる場合は、高さ調節器具９の固定ネジ９ｇまたは磁石２を固定したネジ２ａを緩めて、磁石２の高さを調節する。
【００２９】
図９は本考案の実施の形態にかかわる高さ調節器具９を使用して、例４の戸当りをドアに取り付けた状態を示す斜視図である。図１０は、図９の戸当りを取り付けて使用した状態を示す側面図である。例４の戸当りをドアに取り付ける高さ調節器具９は、例１に使用したものと同じく、図１１に示す高さ調節器具９を使用する。また、磁石２の取付高さと本体部分１の取り付け位置を調整するには、例２と同様の治具１０を用いる。
【００３０】
例４の戸当りは、図１０に示すように、本体部分１の台座３に揺動自在に取り付けられたプレート４を磁石２の磁力で引き上げて吸着し、その位置でドアを保持する。磁石２には、プレート４の先端に下側から係合する上下に可動なフック７が形成されている。プレート４が磁石２に吸着されてフック７に係合されたのち、磁石２の操作部材８を押下すると、フック７がロックされて動かなくなり、プレート４はフック７からはずれないので、ドアＤがその位置でロックされる。操作部材８を再度押下すると、フック７が上下に可動になり、ロックが解除される。
【００３１】
例４の戸当りを取り付ける方法は、例２の戸当りの取付方法と同じなので、説明を省略する。
【００３２】
例１から例４までに述べたように、本考案の戸当りの高さ調節器具によれば、磁石２を床面からの取付高さが戸当りが正常に動作する範囲になるように固定することができるので、アンダーカットのないドアに合わせて設計された磁石式戸当りを、アンダーカットの形成されたドアに使用することができる。
【００３３】
本考案の高さ調節器具９の材質として、アルミニウム合金、黄銅、またはポリカーボネートなどのエンジニアリング樹脂、あるいはそれらに類した適当な材質を用いることができる。また、メネジと長孔の周囲をアルミニウム合金などで形成し、その上を木質のカバーで覆ってもよい。高さ調節器具９を木質のカバーで覆うと、木製のドアにマッチした外観とすることができる。
【００３４】
本実施の形態では、戸当りの高さ調節器具９の長孔９ｃ、９ｄから、ネジ９ｇの頭が突き出るように構成しているが、図１３に示すように、長孔９ｃ、９ｄのまわりにネジ９ｇの頭が収まるようにざぐり９ｆを形成してもよい。ざぐり９ｆを形成して、ネジ９ｇの頭が高さ調節器具９の平面９ａの下に収まるようにすると、戸当りの磁石２によって高さ調節器具９の長孔９ｃ、９ｄが覆われてしまう場合でも、高さ調節器具９を使用することができる。ただし、その場合は高さ調節器具９をドアに取り付けてから、戸当りの磁石２を高さ調節器具９に固定する。
【００３５】
また、本実施の形態では磁石２の取付ネジ位置が同じであることを想定しているが、図１３に示すように、磁石２の異なる取り付けネジ位置に合わせて複数の取付メネジを設けることによって、異なる種類の戸当りに同じ高さ調節器具９を使用することができる。
【図面の簡単な説明】
【００３６】
【図１】本考案の実施の形態にかかわる高さ調節器具を使用して、例１の戸当りをドアに取り付けた状態を示す斜視図である。
【図２】図１の戸当りを使用しているところを表わす側面図である。
【図３】本考案の実施の形態にかかわる高さ調節器具を使用して、例２の戸当りをドアに取り付けた状態を示す斜視図である。
【図４】図３の高さ調節器具および戸当り本体取付位置調節方法を示す図である。
【図５】図３の戸当りを取り付けて使用した状態を示す側面図である。
【図６】実施の形態にかかわる高さ調節器具を使用して、例３の戸当りをドアに取り付けた状態を示す斜視図である。
【図７】図６の高さ調節および戸当り本体取付位置調節方法を示す図
【図８】図６の戸当りを取り付けて使用した状態を示す側面図である。
【図９】実施の形態にかかわる高さ調節器具を使用して、例４の戸当りをドアに取り付けた状態を示す斜視図である。
【図１０】図９の戸当りを取り付けて使用した状態を示す側面図である。
【図１１】実施の形態にかかわる高さ調節器具の図であり、（ａ）は平面図、（ｂ）は（ａ）のＡ−Ａ線断面図である。
【図１２】戸当りの高さおよびプレート取付位置を調節する治具の図であり、（ａ）は上面図、（ｂ）は正面図、（ｃ）は底面図である。
【図１３】戸当り高さ調節器具の別の形態を示す図であり、（ａ）は平面図、（ｂ）は（ａ）の側面図である。
【符号の説明】
【００３７】
１    本体部分
２    磁石
３    台座
３ａ  緩衝部
４    プレート
５    凹部
６    ストッパ
７    フック
８    操作部材
９    高さ調節器具
９ａ、９ｂ  平面
９ｃ、９ｄ  長孔
９ｅ  メネジ
９ｆ  ざぐり
【図１】
0003109683.tif 000003
【図２】
0003109683.tif 000004
【図３】
0003109683.tif 000005
【図４】
0003109683.tif 000006
【図５】
0003109683.tif 000007
【図６】
0003109683.tif 000008
【図７】
0003109683.tif 000009
【図８】
0003109683.tif 000010
【図９】
0003109683.tif 000011
【図１０】
0003109683.tif 000012
【図１１】
0003109683.tif 000013
【図１２】
0003109683.tif 000014
【図１３】
0003109683.tif 000015